(57)【要約】【課題】寒冷地帯においての人間及び車両重量により圧雪状態となった残雪は、日夜の温度差により圧雪氷と変化するため除去が極めて困難で、滑り転倒する要因となる課題を解決するためのものである。【解決手段】三角錐形状の錐体形破砕刃を、路面に平滑に構成して、圧雪氷と路面間に錐体形破砕刃先端部を楔のように挿入し、路面上を平行移動することで、圧雪氷を剥離しつつ錐体形上部で破砕を行うものであり、圧雪氷破砕に必要な補助力としてハンマーを付設した。錐体形破砕刃操作は、支持棒を介したグリップ操作により行うものであり、車輪付設にて路面上平行移動を容易に行うものである。又、支持棒及び錐体形破砕刃に一定角度の回動を与えることにより、作業性の向上と安全性の確保をもって解決手段とした。【選択図】図１０
2006241958.tif 000002
【特許請求の範囲】
【請求項１】
錐体形破砕刃に、支持棒及び支持棒端部にグリップを付設構成されたものであり、支持棒とグリップ間に伸縮調整を可能にし、支持棒と錐体形破砕刃は、限定された角度幅に支軸により回動行えるものである。又、錐体形破砕刃に車輪を付設構成しうる圧雪氷破砕機。
【請求項２】
請求項１記載の垂体形破砕刃内部に、密閉外筒管の内部に滑動錘及び凸ゴムを付設し構成された、ハンマーを付設した圧雪氷破砕機。
【発明の詳細な説明】
【技術分野】
【０００１】  本発明は、路面等に積雪する圧雪及び圧雪氷を路面より剥離して破砕する機具に関するものである。
【背景技術】
【０００２】  従来圧雪氷粉砕具として、主に使われている鶴嘴の使用では、振り上げ、振り下ろし作業工程の繰り返しと労力を要する作業を行っていた。又、労力を必要とする故に、打ち込み角度によっては、鶴嘴刃先が氷に弾かれバランスを崩し、転倒するなどの危険を伴う作業と成っていたために、老人や婦女子等には、困難を強いられていた。又、尖った鉄棒若しくは鉄棒先に鉄板刃を取り付けた道具の圧雪氷除去には、圧雪氷の状態を状況判断しつつ、打ち込み角度を考慮して、主に垂直方向等に突き刺して圧雪氷除去を行っていた為、道路を基体として圧雪氷を打ち砕く行為となっていたため、圧雪氷除去に必要以上の労力を要していた。【０００３】  又、下記記載の文献による方法が施行されていた。
【特許文献１】    特開２００４−２３８８６１
【特許文献２】    特許番号３２９５３５６
【特許文献３】    特開平１０−１８３５５０
【特許文献４】    特開平１１−２１７８０９
【特許文献５】    実用新案登録３１０１９９２
【特許文献６】    実用新案登録３０９２２０７
【特許文献７】    実用新案登録３０８４８２９
【特許文献８】    実開平０５−０９６１１７
【特許文献９】    実用新案登録３０９７２４５
【特許文献１０】    実用新案登録３１０３１５４
【発明の開示】
【発明が解決しようとする課題】
【０００４】  寒冷地帯においての新雪は密度が少なく除去には、従来の道具、スノーダンプ、並び除雪シャベルにて容易に除雪を行えるが、人間及び車両重量により圧雪状態となった残雪は、日夜の温度差により圧雪氷と変化するため除去が極めて困難となっている課題があり、【０００５】  この圧雪氷を、除去する為には破砕か粉砕が必要で、背景技術に示す道具を介して破砕若しくは粉砕するためには、自己の力を直接又は間接的に用いて、圧雪氷を破砕若しくは粉砕する氷雪上の作業であるが故、作業上労力を要する作業状況においては、足元に不安定性が生じ滑べり転倒、又は、労力的にも老人や婦女子が、破砕及び粉砕作業を安易に行えない課題があった。
【課題を解決するための手段】
【０００６】  請求項１記載の発明に係る圧雪氷破砕機は、錐体形破砕刃に支軸を貫通し、支軸により一定角度回動可能に付設した支持棒で、支持棒は伸縮固定性を備え支持棒端部のグリップから構成されたもので、支軸又は、車軸に車輪を付設しうることで解決手段とした。【０００７】  請求項２記載の発明に係る圧雪氷破砕機は、請求項１記載の錐体形破砕刃内部に図１で示すハンマーを設けたことを特徴とするものである。【０００８】  Ａ−Ａ断面図、図１、及び図３で、示すように錐体形破砕刃内部に車輪およびハンマーを付設して支持棒を介し操作グリップにより路面上を平行移動させることにより課題を解決するための手段とした。
【発明の効果】
【０００９】  請求項１記載の圧雪氷破砕機によれば、先端部が、路面を頂点とした錐体形破砕刃を用いることにより、錐体形破砕刃先端部が、圧雪氷剥離抵抗で路面に押さえつけられることで、路面上を平行移動可能にして、圧雪氷破砕作業が路面上を往復平行移動するのみと、作業内容が簡素化されると共に、圧雪氷が剥離された路面にて、圧雪氷破砕に必要な作業を行えるため滑り転倒を軽減する安全面での効果がある。【００１０】  又、圧雪氷破砕は、路面に沿って移動する錐体系破砕刃であるが故、路面上から圧雪氷間に楔を打ち込む状態で、加える破砕力は、圧雪氷を抵抗の少ない空中方向へのみの剥離破砕となり、破砕に要する力を最小限に留めた。【００１１】  請求項２記載の圧雪氷破砕機では、圧雪氷を内設ハンマーにより衝打剥離破砕するので、請求項１の圧雪氷破砕機にて要する労力をさらに軽減行えるために、幅の広い人々での作業を可能にする効果がある。【００１２】  請求項１と２に共通して、次のような効果がある。圧雪氷破砕機と路面とが常に接触しているが故に支持棒を介したグリップが、常に杖代わりになるため転倒防止作用がある。【００１３】  以上のことを鑑みての効果は、労力の軽減し、簡素化された作業内容により、安全な作業を行えることで、効率化を図れるものである。
【発明を実施するための最良の形態】
【００１４】  以下、図面に、基づき本発明の実施形態を詳述する。
請求項１に関する本発明に於ける原理的実施例を示す図１は、図２、図４、図７、図８、図９、のＡ−Ａ縦断面図であり、構成は、錐体形破砕刃３は尖った三角錐体形状を有し、一面を路面７に沿うように配置し、側面を図６、図７、図８、で示す様形成されており、図面で示す部位に車輪４及び支持棒２に溶接した車軸支持板２ａを軸支する車軸５穴を設けているもので、車輪４間には、支持棒２の下両側面端部に溶接された車軸支持板２ａに車軸５を貫通し連結して構成されており、支持棒２の上部に、支持棒外套管１を差込み複数の留めピン穴１ｃに留めピン２ｂを貫通させてあり、２ｂの抜き差しにて接続することにより、伸縮性を保持する外套管１の上端部に、グリップ１ａをＴ字状に定設されているものである。又、錐体形破砕刃３及び支持棒は、図８で示す錐体形破砕刃３に設けた支持棒貫通穴３ｃを縦長に開口することにより一定角度回動し回動幅を制限される形態である。【００１５】  請求項２に関する本発明に於ける原理的実地例を示す３図は、Ａ−Ａ断面図であり、支持棒２に溶接された車軸保持板２ａにハンマー６を付設したもので、ハンマー６の構成は、密閉外套管６ａに内在する流通穴６ｃを設けた滑動錘６ｂと、密閉外套管６ａに内設した凸ゴム６ｄにより構成されている形態である以外は請求項１記載と同様である。【００１６】、図３で示す垂体形破砕刃先端部３ａに付設可能な後付破砕刃９は、垂体形破砕刃３ａと同じ形状であり、破砕刃９先端下面に円盤９ａを溶接して構成されているものであり、請求項１、請求項２に対して、自在な装着に用いるものである。装着にはネジもしくはボルトにより固定を行いうる。
【実施例】
【００１７】図１は、本発明請求項１の実施例断面図であって、圧雪氷破砕機の操作は、グリップ１ａを両手で握り、図１０で示す移動方向線１０に従い、圧雪氷８方向に押すことで、図１で示す様に錐体形破砕刃先端部３ａが尖っているために、路面７と圧雪氷８の間に打ち込まれ、圧雪氷８を剥離氷８ａの状態に浮かせて、図１０に示す様錐体形破砕刃３の上部により破砕を行うものである。路面７と錐体形破砕刃３との移動抵抗を軽減するために車輪４を設けている。又、錐体形破砕刃３と路面７が、路面状況に応じた密着性を柔軟に行うために、図８で示す支持棒貫通穴３ｃを、支持棒２の直径より縦長に幅を持たせ開口することにより、支持棒２より錐体形破砕刃３が分離されることで、車軸５を中心に一定角度回動して、錐体形破砕刃３が路面７に応じて回動自在となっている。支持棒２が支持棒貫通穴３ｃ上部に当たると、錐体形破砕刃先端部３ａは、路面７方向に押され路面７に強固に氷着した圧雪氷剥離を行える。又、逆に支持棒２が、支持棒貫通穴３ｃ下部に当たると、支持棒破砕刃先端部３ａは路面７より離れるので、路面に応じた作業を行えると共に、錐体形破砕機が必要以上に前に進行し、歩行が追いつかない場合には、グリップ１ａ高さ位置の維持が困難となり、必然的に路面７方向に下がるため、錐体形破砕刃後部下端３ｂが、路面７に接触するので、抵抗を得てブレーキの役目を果たすと同時に、錐体形破砕刃３に対して、一定角度しか回動しない支持棒２を介したグリップ１ａが、杖代りとなり体を支えるために転倒防止効果がある。【００１８】  図３は、本発明請求項２実施例断面図であって、ハンマー６付設の圧雪氷破砕機では、図１０で示す移動方向線１０を１０ｂ方向から１０ａ方向に移動すると、密閉外套管６ａ内に内在する滑動錘６ｂは、慣性の法則により凸ゴムの位置を保持しているが、錐体形破砕刃３が、圧雪氷８に衝突することで、慣性の法則により、滑動錘６ｂは密閉外套管６ａの前部を衝打するが故、車軸５から錐体形破砕刃３と衝撃力は伝わり圧雪氷８を衝撃破砕するため、圧雪氷破砕に要する労力の軽減と共に、衝突時の反動を抑えてより圧雪氷破砕をより効率的行うものである。【００１９】  図５で示す後付破砕刃９は、錐体形破砕刃３が、道路面の凸凹で、移動困難を強いられたときに、先端円盤９ａが道路７との接地面を広く確保することで、移動困難を解消したものであり、圧雪氷８が融雪状態にある場合に、広範囲の圧雪氷剥離を行えることを特徴とするものである。
【産業上の利用可能性】
【００２０】  平面状の基体上に塗布及び布設された基体以上の柔軟物質の剥離作業の用途にも適用できる。
【図面の簡単な説明】
【００２１】
【図１】  請求項１のＡ−Ａ断面図
【図２】  請求項１の底面図
【図３】  請求項２のＡ−Ａ断面図
【図４】  請求項２の底面図
【図５】  後付破砕刃取り付け先端部図
【図６】  実施状態側面図
【図７】  正面図
【図８】  背面図
【図９】  上面図
【図１０】  実施例地斜視図
【符号の説明】
【００２２】１      支持棒外套管
１ａ    グリップ
１ｂ    留めピン
１ｃ    留めピン穴
２      支持棒
２ａ    車軸支持板
３      錐体形破砕刃
３ａ    錐体形破砕刃先端部
３ｂ    錐体形破砕刃後部下端
３ｃ    支持棒貫通穴
４      車輪
５      車軸
６      ハンマー
６ａ    密閉外套管
６ｂ    滑動錘
６ｃ    流通穴
６ｄ    凸ゴム
７      路面
８      圧雪氷
８ａ    剥離圧雪氷
９      後付破砕刃
９ａ    円盤
１０    移動方向線
１０ａ  前方向
１０ｂ  後方向
【図１】
2006241958.tif 000003
【図２】
2006241958.tif 000004
【図３】
2006241958.tif 000005
【図４】
2006241958.tif 000006
【図５】
2006241958.tif 000007
【図６】
2006241958.tif 000008
【図７】
2006241958.tif 000009
【図８】
2006241958.tif 000010
【図９】
2006241958.tif 000011
【図１０】
2006241958.tif 000012